(57)【要約】【課題】照明光に輝度ムラが発生するのを抑制しながら、小型化を図ることが可能な照明装置を提供する。【解決手段】この照明装置は、光出射面２８ｂを有する導光体２８と、導光体２８の光出射面２８ｂと対面する光入射面２９ａを有する導光板２９とを備えている。そして、導光体２８の光出射面２８ｂのうちの所定部分が導光板２９の光入射面２９ａに接合される接合部２８ｄとなっている。【選択図】図４
2012128958.tif 000002
【特許請求の範囲】
【請求項１】
光源と、
光出射面を有し、前記光源で生成された光を導入して前記光出射面から出射する導光体と、
前記導光体の光出射面と対面する光入射面を有し、前記導光体の光出射面から出射された光を前記光入射面から導入して被照明体側に向けて出射する導光板とを備え、
前記導光体の光出射面のうちの所定部分が前記導光板の光入射面に接合される接合部となっていることを特徴とする照明装置。
【請求項２】
光を拡散する光拡散部を前記導光体の光出射面が有しており、
前記導光体の光出射面のうちの全部分ではなく一部分が前記光拡散部となっていることを特徴とする請求項１に記載の照明装置。
【請求項３】
前記導光体の光出射面の光拡散部が前記導光体の光出射面の接合部よりも前記導光板の光入射面側に突出しないように形成されていることを特徴とする請求項２に記載の照明装置。
【請求項４】
前記導光体の光出射面および前記導光板の光入射面のそれぞれの平面形状が長方形状とされており、
前記導光体の光出射面のうちの長手方向の端部が前記接合部とされていることを特徴とする請求項１〜３のいずれかに記載の照明装置。
【請求項５】
前記導光体の光出射面の接合部に接着部材が配設されており、
前記接着部材を介して前記導光体の光出射面の接合部が前記導光板の光入射面に接着されることによって、前記導光板の光入射面に対する前記導光体の光出射面の接合部の接合がなされていることを特徴とする請求項１〜４のいずれかに記載の照明装置。
【請求項６】
請求項１〜５のいずれかに記載の照明装置と、
前記照明装置からの光で照明される表示パネルとを備えていることを特徴とする表示装置。
【発明の詳細な説明】
【技術分野】
【０００１】
本発明は、照明装置および表示装置に関する。
【背景技術】
【０００２】
表示装置の一つである液晶表示装置では、映像の表示を行う液晶表示パネルが非発光であるため、液晶表示パネルの後面側（液晶表示パネルの表示面側とは反対側）に照明装置が設置され、その照明装置からの光で液晶表示パネルの後面が照明されるようになっている。なお、液晶表示パネルの後面側に設置される照明装置は、たとえば、バックライトユニットなどと称されている。
【０００３】
液晶表示パネルに設置されるバックライトユニットは、大別すると、直下型とエッジライト型との２種類に分類される。
【０００４】
直下型のバックライトユニットおよびエッジライト型のバックライトユニットのそれぞれの構成を簡単に説明すると、直下型のバックライトユニットでは、液晶表示パネルの表示領域の直下に光源が配置されている。そして、光源から発せられた光は、光学シート（拡散シートやレンズシートなど）を介して液晶表示パネルの後面を照明する。
【０００５】
それに対して、エッジライト型のバックライトユニットでは、液晶表示パネルの表示領域の直下に、光源ではなく、導光板が配置されている。この導光板は、その名の通り板状に形成されていて、表裏一対の主面と、表裏一対の主面に繋がる複数の側端面とを有している。そして、導光板の表裏一対の主面のうちの一方の主面が液晶表示パネル側に向けられており、導光板の複数の側端面のうちの所定の側端面に対して光源が対向配置されている。この場合、導光板の所定の側端面が光入射面となり、導光板の一方の主面が光出射面となる。
【０００６】
エッジライト型のバックライトユニットの照明動作としては、光源から光が発せられると、その光が導光板の光入射面から導光板内に導入される。そして、導光板内に導入された光は、導光板の光出射面から出射された後、光学シートを介して液晶表示パネルの後面を照明する。
【０００７】
ところで、エッジライト型のバックライトユニットにおいては、導光板の光入射面に入射する直前の光（光源から発せられた直後の光）を拡散させ、それによって、照明光に生じる輝度ムラを低減する技術が提案されている（たとえば、特許文献１参照）。
【０００８】
具体的に言うと、特許文献１では、導光板に加えて導光体を別途準備し、その導光体を用いて、導光板の光入射面に入射する直前の光（光源から発せられた直後の光）を拡散するようにしている。これにより、導光板の光入射面に対する入光量が全面にわたって略均一になるので、導光板の光出射面の全面から略均一に光が出射され、照明光に生じる輝度ムラが低減される。
【先行技術文献】
【特許文献】
【０００９】
【特許文献１】特開２００３−９８３５７号公報
【発明の概要】
【発明が解決しようとする課題】
【００１０】
しかしながら、特許文献１では、導光板を固定するための固定構造を筐体（フレーム）に設けなければならないのはもちろんのこと、それに加えて、導光体を固定するための固定構造も筐体に設けなければならない。このため、筐体の構造が複雑になり、筐体の小型化（狭額縁化）を図るのが困難になる。したがって、バックライトユニットが大型化してしまう。もちろん、そのバックライトユニットを備えた液晶表示装置も大型になる。
【００１１】
本発明は、上記課題を解決するためになされたものであり、照明光に輝度ムラが発生するのを抑制しながら、小型化を図ることが可能な照明装置および表示装置を提供することを目的とする。
【課題を解決するための手段】
【００１２】
上記目的を達成するために、本発明の第１の局面による照明装置は、光源と、光出射面を有し、光源で生成された光を導入して光出射面から出射する導光体と、導光体の光出射面と対面する光入射面を有し、導光体の光出射面から出射された光を光入射面から導入して被照明体側に向けて出射する導光板とを備えている。そして、導光体の光出射面のうちの所定部分が導光板の光入射面に接合される接合部となっている。
【００１３】
第１の局面による照明装置では、上記のように、導光板に加えて導光体を別途準備し、光源から発せられた光が導光体および導光板で導光されるようにすることによって、たとえば、導光体の光出射面から出射される光が拡散されるようにしておけば、拡散された光が導光板の光入射面に入射することになる。すなわち、導光板の光入射面に対する光の入射が部分的に強くなる（弱くなる）のを抑制することができる。これにより、導光板から出射される光にムラが生じ難くなる。
【００１４】
この場合、導光体の光出射面のうちの所定部分を接合部とし、その導光体の光出射面の接合部を導光板の光入射面に接合することによって、導光板を固定するための固定構造は筐体（フレーム）に設ける必要があるが、導光体を固定するための固定構造については筐体に設ける必要がなくなる。このため、導光板に加えて導光体を用いるようにしたとしても、導光体用の固定構造を筐体に設ける必要がない分だけ、筐体の構造が簡素になり、筐体が小型化（狭額縁化）される。
【００１５】
これらの結果、第１の局面による照明装置では、照明光に輝度ムラが発生するのを抑制しながら、小型化を図ることが可能となる。
【００１６】
第１の局面による照明装置において、光を拡散する光拡散部を導光体の光出射面が有しており、導光体の光出射面のうちの全部分ではなく一部分が光拡散部となっていることが好ましい。このように、光を拡散する光拡散部を導光体の光出射面が有していれば、容易に、導光体の光出射面から出射される光（導光板の光入射面に入射する光）を拡散させることができる。
【００１７】
そして、この場合、導光体の光出射面のうちの全部分ではなく一部分のみを光拡散部とすることにより、導光体の光出射面の面内に、制約を受けることなく自由に利用できる部分（光拡散部以外の部分）が確保される。これにより、光出射面のうちの所定部分（光拡散部以外の部分）を接合部とした導光体が簡単に得られる。
【００１８】
また、光を拡散する光拡散部を導光体の光出射面が有している構成においては、導光体の光出射面の光拡散部が導光体の光出射面の接合部よりも導光板の光入射面側に突出しないように形成されていることが好ましい。このように構成すれば、導光体の光出射面の接合部を導光板の光入射面に接合する接合作業の際に、導光体の光出射面の光拡散部が接合作業の障害となることがないので、接合作業を容易に行うことができる。
【００１９】
第１の局面による照明装置において、導光体の光出射面および導光板の光入射面のそれぞれの平面形状が長方形状とされており、導光体の光出射面のうちの長手方向の端部が接合部とされていることが好ましい。このように構成すれば、導光体の光出射面の接合部を導光板の光入射面に接合したとしても、導光板の光入射面のうちの長手方向の中央部（長手方向の端部以外の部分）における入光量を十分に確保することができる。
【００２０】
第１の局面による照明装置において、導光体の光出射面の接合部に接着部材が配設されており、その接着部材を介して導光体の光出射面の接合部が導光板の光入射面に接着されることによって、導光板の光入射面に対する導光体の光出射面の接合部の接合がなされていることが好ましい。このように構成すれば、容易に、導光板の光入射面に対する導光体の光出射面の接合部の接合を行うことができる。
【００２１】
本発明の第２の局面による表示装置は、第１の局面による照明装置と、その照明装置からの光で照明される表示パネルとを備えている。
【００２２】
このように構成された表示装置では、照明光に輝度ムラが発生するのを抑制しながら、小型化を図ることが可能となる。
【発明の効果】
【００２３】
以上のように、本発明によれば、照明光に輝度ムラが発生するのを抑制しながら、小型化を図ることが可能な照明装置および表示装置を容易に得ることができる。
【図面の簡単な説明】
【００２４】
【図１】本発明の一実施形態による照明装置（表示装置）の分解斜視図である。
【図２】本発明の一実施形態による照明装置の一部（光源の周辺部）を拡大した断面図である。
【図３】本発明の一実施形態による照明装置の導光体および導光板の斜視図である。
【図４】本発明の一実施形態による照明装置の導光体および導光板が接着部材を介して互いに接合された状態の図である。
【図５】本発明の一実施形態による照明装置の導光体の光入射面の接合部に接着部材が配設された状態の図である。
【図６】本発明の一実施形態による照明装置の変形例を説明するための図（導光体および導光板が接着部材を介して互いに接合された状態の図）である。
【図７】本発明の一実施形態による照明装置の変形例を説明するための図（導光体の光入射面の接合部に接着部材が配設された状態の図）である。
【図８】本発明の一実施形態による照明装置の光源から発せられた光の挙動を説明するための図である。
【図９】本発明の一実施形態による照明装置の導光板から出射される光の輝度を説明するためのグラフである。
【発明を実施するための形態】
【００２５】
本発明の一実施形態による照明装置を備えた表示装置の構成について、図１〜図７を参照して説明する。
【００２６】
この表示装置は液晶表示装置であって、図１に示すように、映像を表示する液晶表示パネル（被照明体）１０と、液晶表示パネル１０の表示面側とは反対の後面側に設置されるバックライトユニット２０とを少なくとも備えている。なお、液晶表示パネル１０は、本発明の「表示パネル」の一例であり、バックライトユニット２０は、本発明の「照明装置」の一例である。
【００２７】
また、液晶表示装置には筐体としてのベゼルＢＺがさらに備えられていて、そのベゼルＢＺによって、液晶表示パネル１０およびバックライトユニット２０が液晶表示パネル１０の表示面側から覆われている。
【００２８】
液晶表示パネル１０は、実際に映像が表示される表示領域と、その表示領域の外縁領域（表示領域を囲む枠状の領域）である非表示領域とを有している。そして、液晶表示パネル１０の表示領域には、マトリクス状に配列された複数の画素が作り込まれている。
【００２９】
複数の画素のそれぞれは、スイッチング素子、画素電極および共通電極などによって駆動されるようになっている。なお、図面を見易くするため、スイッチング素子、画素電極および共通電極は図示しておらず、それらに対して電気的に接続される配線などについても図示していない。
【００３０】
スイッチング素子はＴＦＴ（薄膜トランジスタ）からなっていて、スイッチング素子のゲートはゲート線（走査線）に接続され、スイッチング素子のソースはソース線（データ線）に接続される。また、スイッチング素子のドレインには画素電極が接続されるとともに、その画素電極と対向するように共通電極が配置され、さらに、画素電極と共通電極との間に液晶（図示せず）が挟持される。なお、スイッチング素子は各画素に個々に設けられており、画素電極も各画素に個々に設けられている。一方、共通電極については、各画素で共通となっている。
【００３１】
また、バックライトユニット２０は、エッジライト型方式を採用したものであって、白色のバックライト光を面状に出射し、そのバックライト光で液晶表示パネル１０の表示領域を後面側からムラなく照明するようになっている。
【００３２】
そして、表示動作の際には、映像信号に基づいて、液晶の光学的性質（光透過率）が画素毎に変化される。具体的には、各画素において、スイッチング素子を介して画素電極に所定の電力が供給されることにより、画素電極と共通電極との間に電界が発生する。これによって、液晶の配向、すなわち、液晶を透過する光の透過率が変化される。
【００３３】
このため、バックライトユニット２０からバックライト光が面状に出射され、そのバックライト光で液晶表示パネル１０の表示領域が後面側から面状に照明されると、液晶表示パネル１０を透過するバックライト光の透過量が画素毎に異ならされることになる。これにより、液晶表示パネル１０の表示領域に所望の映像が表示される。
【００３４】
以下に、液晶表示パネル１０およびバックライトユニット２０の構成についてより詳細に説明する。
【００３５】
液晶表示パネル１０は、２枚の透明基板１１および１２を少なくとも備えている。一方の透明基板１１は、アクティブマトリクス基板と称されるものであり、他方の透明基板１２は、透明基板１１に対して対向配置されることから対向基板と称される場合もあるし、カラーフィルタ基板と称される場合もある。
【００３６】
一方の透明基板１１の所定面上には、スイッチング素子および画素電極が形成されているとともに、それらに電気的に接続されるゲート線（走査線）およびソース線（データ線）も形成されている。また、他方の透明基板１２の所定面上には、共通電極が形成されている。なお、他方の透明基板１２の所定面上には、共通電極に加えて、必要に応じてカラーフィルタ（図示せず）がさらに形成される。そして、２枚の透明基板１１および１２のそれぞれの所定面は、液晶を特定方向に配向させることが可能な配向膜（図示せず）によって覆われている。
【００３７】
また、２枚の透明基板１１および１２は、それぞれの所定面が向き合うように、シール材（図示せず）を介して互いに貼り合わされている。そして、２枚の透明基板１１および１２の間に液晶が封止されている。これによって、画素電極と共通電極との間（一方の透明基板１１の所定面を覆う配向膜と他方の透明基板１２の所定面を覆う配向膜との間）に液晶が挟持された状態となっている。
【００３８】
さらに、２枚の透明基板１１および１２のそれぞれの外形サイズは互いに異ならされていて、透明基板１１の外形サイズが透明基板１２の外形サイズよりも大きくなっている。したがって、２枚の透明基板１１および１２は互いに貼り合わされているが、透明基板１１および１２のそれぞれの所定端は互いに合致しておらず、透明基板１１の所定面の一部が透明基板１２から露出されている。この透明基板１１の所定面の露出した部分は、非表示領域の一領域であって、透明基板１１にドライバやＦＰＣ（フレキシブルプリント配線板）を電気的に接続するために用いられる。
【００３９】
また、２枚の透明基板１１および１２の所定面（液晶側の面）とは反対側の面のそれぞれには、特定の振動方向の光波だけを透過させる偏光シート１３が１枚ずつ貼付されている。そして、２枚の偏光シート１３のそれぞれの透過軸方向は、互いに約９０°ずらされている。
【００４０】
この液晶表示パネル１０の後面側に設置されるバックライトユニット２０は、図１および図２に示すように、筐体としてのバックシャーシ２１と、光源モジュール２２と、導光部材２３と、反射シート２４と、光学シート２５とを少なくとも備えている。
【００４１】
バックシャーシ２１は、液晶表示パネル１０側が開口された略箱状に形成されている。すなわち、バックシャーシ２１は、液晶表示パネル１０側から平面的に見た場合の形状が四角形状とされた底部（開口とは反対側の部分）と、底部の外周に立設された４つの側部（額縁形状のフレーム部）とを有している。そして、バックシャーシ２１の４つの側部で囲まれた領域が収容領域とされており、そのバックシャーシ２１の収容領域に、光源モジュール２２、導光部材２３、反射シート２４および光学シート２５が収容されている。
【００４２】
光源モジュール２２は、バックライト光の基となる光を生成するものであって、光源（点光源）としてのＬＥＤパッケージ２６と、ＬＥＤパッケージ２６が実装された短冊状（細長状）のＬＥＤ基板２７とを含んでいる。ＬＥＤ基板２７に対するＬＥＤパッケージ２６の実装数は複数個とされていて、それら複数個のＬＥＤパッケージ２６はＬＥＤ基板２７の長手方向に沿って互いに所定の間隔を隔てて配列されている。
【００４３】
なお、ＬＥＤパッケージ２６の構造としては特に限定されるものではなく、たとえば、青色光を黄色に変換する蛍光体と青色ＬＥＤ素子とを組み合わせたＬＥＤパッケージ２６を用いてもよいし、青色光を緑色および赤色にそれぞれ変換する蛍光体と青色ＬＥＤ素子とを組み合わせたＬＥＤパッケージ２６を用いてもよい。さらに、青色ＬＥＤ素子、緑色ＬＥＤ素子および赤色ＬＥＤ素子の３種類のＬＥＤ素子を組み合わせたＬＥＤパッケージ２６を用いてもよい。
【００４４】
また、この光源モジュール２２は、バックシャーシ２１の４つの側部のうちの所定の側部に沿って配置されており、液晶表示パネル１０の表示領域の直下には存在していない。その代わりに、導光部材２３が液晶表示パネル１０の表示領域の直下に配置されており、光源モジュール２２から発せられた光は導光部材２３内に導入されるようになっている。
【００４５】
導光部材２３は、その内部に導入した光を面状に変換するものである。すなわち、光源モジュール２２から光が発せられると、液晶表示パネル１０の表示領域の直下において面状の発光が得られる。なお、導光部材２３の構造については、後に詳細に説明する。
【００４６】
反射シート２４は、導光部材２３の後面側（導光部材２３の液晶表示パネル１０側とは反対側）に配置されている。これによって、導光部材２３の後面からの光漏れが抑制される。
【００４７】
光学シート２５は、導光部材２３の前面側（導光部材２３の液晶表示パネル１０側）に配置されている。この光学シート２５は、光拡散を行う拡散シートおよび集光を行うレンズシートなどを含むシート群である。なお、光学シート２５に含まれるシートの種類や枚数については、用途に応じて適宜変更される。
【００４８】
ここで、本実施形態では、互いに異なる部材である導光体２８および導光板２９を含むものが導光部材２３とされている。なお、導光体２８および導光板２９は互いに近接して配置されるが、導光体２８および導光板２９のそれぞれの構造を明確に表すため、それらが互いに大きく離間された状態を図３に示す。
【００４９】
図１〜図３に示すように、導光体２８は、細長の棒形状（４つの長手面を持つ四角柱形状）に形成された透明体からなっており、光源モジュール２２から光が発せられると、その光を導入し、導光板２９の後述する光入射面２９ａに向けて出射する。すなわち、導光体２８は、光源モジュール２２から発せられた光を導光体２８内に導入するための光入射面２８ａと、導光体２８内に導入された光を導光板２９の光入射面２９ａに向けて出射するための光出射面２８ｂとを有している。
【００５０】
導光体２８の光入射面２８ａは、４つの長手面のうちの１つの長手面（平面形状が細長い長方形状の面）からなり、光源モジュール２２（ＬＥＤパッケージ２６の発光面）と対面している。また、導光体２８の光出射面２８ｂは、光入射面２８ａの反対面からなり、導光板２９の光入射面２９ａと対面している。
【００５１】
さらに、導光体２８の光出射面２８ｂの一部分には、導光体２８の長手方向に光を拡散するための光拡散部２８ｃが設けられている。この導光体２８の光出射面２８ｂの一部分に設けられた光拡散部２８ｃとしては、特に限定されるものではないが、たとえば、導光体２８の光出射面２８ｂの一部分に直接的に形成された微細な凹凸パターン（プリズムパターン）である。
【００５２】
導光体２８と共に導光部材２３を成す導光板２９は、表裏一対の主面が四角形状に形成された透明板からなっており、導光体２８の光出射面２８ｂから光が出射されると、その光を導入し、液晶表示パネル１０側に向けて面状に出射する。すなわち、導光板２９は、導光体２８の光出射面２８ｂから出射された光を導光板２９内に導入するための光入射面２９ａと、導光板２９内に導入された光を液晶表示パネル１０側に向けて面状に出射するための光出射面２９ｂとを有している。
【００５３】
導光板２９の光入射面２９ａは、表裏一対の主面に繋がる４つの側端面のうちの１つの側端面（平面形状が細長い長方形状の面）からなり、導光体２８の光出射面２８ｂと対面している。なお、この導光板２９の光入射面２９ａの外形サイズ（平面積）は、導光体２８の光出射面２８ｂの外形サイズと略同じである。そして、導光板２９の光入射面２９ａが導光体２８の光出射面２８ｂと対面した状態においては、導光体２８の光出射面２８ｂと導光板２９の光入射面２９ａとが完全に重畳している。すなわち、導光体２８の光出射面２８ｂは、導光板２９の光入射面２９ａに対して外側に食み出してはいない。また、導光板２９の光出射面２９ｂは、表裏一対の主面のうちの一方の主面からなり、液晶表示パネル１０側に向けられている。
【００５４】
また、これら導光体２８および導光板２９を含む導光部材２３は、導光体２８が導光板２９に接合され、その導光板２９がバックシャーシ２１に取り付けられることによって固定保持されている。すなわち、導光板２９はバックシャーシ２１に取り付け固定されている一方で、導光体２８はバックシャーシ２１には取り付け固定されていない。このため、導光板２９の固定を行う固定構造はバックシャーシ２１に設けられているが、導光体２８の固定を行う固定構造はバックシャーシ２１には設けられていない。
【００５５】
導光板２９への導光体２８の接合は、導光体２８の光出射面２８ｂのうちの所定部分を接合部２８ｄとし、その導光体２８の光出射面２８ｂの接合部２８ｄを導光板２９の光入射面２９ａに接合することによってなされている。
【００５６】
具体的には、導光体２８の光出射面２８ｂのうち、長手方向の両端部以外の部分（長手方向の両端部に挟まれた中央部）にのみ光拡散部２８ｃが設けられていて、その光拡散部２８ｃが設けられていない部分である長手方向の両端部が接合部２８ｄとされている。すなわち、導光体２８の光出射面２８ｂの接合部２８ｄは、光拡散部２８ｃが設けられていない部分であるので、光拡散部２８ｃを設けることで生じる凹凸が存在しない平坦面となっている。
【００５７】
また、導光体２８の光出射面２８ｂの接合部２８ｄは、光拡散部２８ｃを成す凸の先端に対して面一となっている。言い換えると、導光体２８の光出射面２８ｂの光拡散部２８ｃは、接合部２８ｄよりも導光板２９の光入射面２９ａ側には突出していない。
【００５８】
そして、本実施形態では、図４および図５に示すように、導光体２８の光出射面２８ｂの接合部２８ｄの全部分に接着部材３０が配設され、その接着部材３０を介して、導光体２８の光出射面２８ｂの接合部２８ｄが導光板２９の光入射面２９ａに接着されている。これによって、導光板２９への導光体２８の接合がなされている。導光体２８と導光板２９とを接着する接着部材３０としては、両面テープでもよいし、接着剤でもよい。もちろん、これら以外のもので導光体２８と導光板２９とを接着してもよい。
【００５９】
なお、変形例として、図６に示すように、導光体２８の光出射面２８ｂの接合部２８ｄを光拡散部２８ｃに対して面一とするのではなく、導光体２８の光出射面２８ｂの接合部２８ｄを光拡散部２８ｃよりも導光板２９の光入射面２９ａ側に張り出させてもよい。
【００６０】
また、別の変形例として、図７に示すように、導光体２８の光出射面２８ｂの接合部２８ｄの全部分に接着部材３０を配設するのではなく、導光体２８の光出射面２８ｂの接合部２８ｄの一部（たとえば、中央部）にのみ接着部材３０を配設するようにしてもよい。
【００６１】
このような導光体２８および導光板２９を含む導光部材２３を用いた場合、光源モジュール２２から発せられた光の挙動としては、図８に示すようになる。なお、図８では、光の挙動を矢印Ｌによって模式的に表している。そして、その光の挙動を分かり易くするために、便宜的に導光体２８と導光板２９とを大きく離間させている。
【００６２】
図８に示すように、光源モジュール２２から光が発せられると、その光は、導光体２８の光入射面２８ａに入射することで導光体２８内に導入され、導光体２８の光出射面２８ｂから出射される。続いて、導光体２８の光出射面２８ｂから出射された光が導光板２９の光入射面２９ａに入射し、導光板２９内に導入される。これにより、導光板２９の光出射面２９ｂから面状光が出射され、液晶表示パネル１０の表示領域が後面側から面状に照明される。
【００６３】
ところで、導光体２８の光出射面２８ｂの一部分には光拡散部２８ｃが設けられているので、導光体２８の光出射面２８ｂから出射される光は、導光体２８の長手方向に拡散する。このため、導光板２９の光入射面２９ａのうちの領域Ａ（導光体２８を挟んでＬＥＤパッケージ２６と対向する領域）に入射する光が十分に確保されるのはもちろんのこと、領域Ａとは異なる所定の領域Ｂにも領域Ａと同様に光が入射される。
【００６４】
したがって、導光板２９の光入射面２９ａの領域Ａと領域Ｂとの間における入光量の差が小さくなるので、導光板２９の光出射面２９ｂから出射される面状光にムラが生じ難くなる。これにより、たとえば、コスト削減のためにＬＥＤパッケージ２６の搭載数を減らし、それによって隣接するＬＥＤパッケージ２６同士の間隔Ｇが大きくなったとしても、ムラの少ない良好な面状光が得られる。
【００６５】
ただし、導光体２８の光出射面２８ｂの長手方向（ここでは、Ｘ方向と言う）の両端部は接合部２８ｄとなっているので、導光板２９の光入射面２９ａのＸ方向の両端部（導光体２８の光出射面２８ｂの接合部２８ｄが接合される部分）における入光量は他の部分（導光体２８の光出射面２８ｂの光拡散部２８ｃと対面する部分）における入光量に比べて少なくなる。すなわち、図９に示すように、Ｘ方向で見ると、導光板２９の光出射面２９ｂのうちの両端部から出射される光の輝度が中央部から出射される光の輝度よりも低くなる。なお、図９のＸ方向の位置Ｘ１、Ｘ２およびＸ３は、それぞれ、図８における導光板２９の光出射面２９ｂの部分Ｘ１、Ｘ２およびＸ３に対応している。
【００６６】
しかし、このような輝度分布になったとしても、液晶表示パネル１０の表示領域については十分な輝度が確保されるので、問題はない。
【００６７】
本実施形態では、上記のように、導光板２９に加えて導光体２８を別途準備し、光源モジュール２２から発せられた光が導光体２８および導光板２９で導光されるように構成することによって、導光体２８の光出射面２８ｂのうちの一部分は光拡散部２８ｃとなっているので、導光体２８の光出射面２８ｂから出射される光が拡散され、その拡散された光が導光板２９の光入射面２９ａに入射することになる。すなわち、導光板２９の光入射面２９ａに対する光の入射が部分的に強くなる（弱くなる）のを抑制することができる。このため、導光板２９の光出射面２９ｂから出射される面状光にムラが生じ難くなる。
【００６８】
さらに、本実施形態では、この構成において、導光体２８の光出射面２８ｂのうちの所定部分を接合部２８ｄとし、その導光体２８の光出射面２８ｂの接合部２８ｄを導光板２９の光入射面２９ａに接合しているので、導光板２９を固定するための固定構造はバックシャーシ２１に設ける必要があるが、導光体２８を固定するための固定構造についてはバックシャーシ２１に設ける必要がなくなる。このため、導光板２９に加えて導光体２８を用いるようにしたとしても、導光体２８用の固定構造をバックシャーシ２１に設ける必要がない分だけ、バックシャーシ２１の構造が簡素になり、バックシャーシ２１が小型化（狭額縁化）される。
【００６９】
これらの結果、本実施形態では、バックライト光に輝度ムラが発生するのを抑制しながら、バックライトユニット２０の小型化を図ることが可能となる。もちろん、そのバックライトユニット２０を備えた液晶表示装置も小型になる。
【００７０】
また、本実施形態では、上記のように、導光体２８の光出射面２８ｂのうちの全部分ではなく一部分のみを光拡散部２８ｃとすることによって、導光体２８の光出射面２８ｂの面内に、制約を受けることなく自由に利用できる部分（光拡散部２８ｃ以外の部分）が確保される。これにより、光出射面２８ｂのうちの所定部分（光拡散部２８ｃ以外の部分）を接合部２８ｄとした導光体２８が簡単に得られる。
【００７１】
また、本実施形態では、上記のように、導光体２８の光出射面２８ｂの接合部２８ｄに対して光拡散部２８ｃが導光板２９の光入射面２９ａ側に突出しないようにすることによって、導光体２８の光出射面２８ｂの接合部２８ｄを導光板２９の光入射面２９ａに接合する接合作業の際に、導光体２８の光出射面２８ｂの光拡散部２８ｃが接合作業の障害となることがないので、接合作業を容易に行うことができる。
【００７２】
また、本実施形態では、上記のように、導光体２８の光出射面２８ｂのうちの長手方向の両端部を接合部２８ｄとすることによって、導光体２８の光出射面２８ｂの接合部２８ｄを導光板２９の光入射面２９ａに接合したとしても、導光板２９の光入射面２９ａのうちの長手方向の中央部（長手方向の両端部に挟まれた部分）における入光量を十分に確保することができる。
【００７３】
また、本実施形態では、上記のように、導光体２８の光出射面２８ｂの接合部２８ｄに接着部材３０を配設し、その接着部材３０を介して導光体２８の光出射面２８ｂの接合部２８ｄを導光板２９の光入射面２９ａに接着することによって、容易に、導光板２９の光入射面２９ａに対して導光体２８の光出射面２８ｂの接合部２８ｄが接合された状態にすることができる。
【００７４】
なお、今回開示された実施形態は、すべての点で例示であって制限的なものではないと考えられるべきである。本発明の範囲は、上記した実施形態の説明ではなく特許請求の範囲によって示され、さらに、特許請求の範囲と均等の意味および範囲内でのすべての変更が含まれる。
【００７５】
たとえば、上記実施形態では、本発明を液晶表示装置に適用する場合について説明したが、本発明はこれに限らず、本発明を液晶表示装置以外の表示装置に適用してもよい。
【符号の説明】
【００７６】
１０  液晶表示パネル（被照明体、表示パネル）
２０  バックライトユニット（照明装置）
２６  ＬＥＤパッケージ（光源）
２８  導光体
２８ｂ  光出射面
２８ｃ  光拡散部
２８ｄ  接合部
２９  導光板
２９ａ  光入射面
３０  接着部材
【図１】
2012128958.tif 000003
【図２】
2012128958.tif 000004
【図３】
2012128958.tif 000005
【図４】
2012128958.tif 000006
【図５】
2012128958.tif 000007
【図６】
2012128958.tif 000008
【図７】
2012128958.tif 000009
【図８】
2012128958.tif 000010
【図９】
2012128958.tif 000011